(57)【要約】【課題】カラー原稿に基づいたカラー送信データをメモリ送信によってファクシミリ送信する場合に、ファクシミリ送信が行われる時刻を、カラー送信データに好適に付与することが可能なファクシミリ装置を提供することを目的とする。【解決手段】予約時刻が設定されていない場合（Ｓ１０２：Ｎｏ）、発信元情報と現在時刻情報とが付加されたカラー画像データを圧縮した第一種のカラー送信データが作成、記憶され、予約時刻が設定されている場合（Ｓ１０２：Ｙｅｓ）、発信元情報が付加され現在時刻情報が付加されていないカラー画像データを圧縮した第二種のカラー送信データが作成、記憶される（Ｓ１０４，Ｓ１０８，Ｓ１１２，Ｓ１１４）。第一種のカラー送信データが記憶された第一のタイミングで、第一種のカラー送信データがファクシミリ送信され、予約時刻となった第二のタイミングで、第二種のカラー送信データがファクシミリ送信される。【選択図】図２
2012213006.tif 000002
【特許請求の範囲】
【請求項１】
カラー原稿のファクシミリ送信に対応したファクシミリ装置であって、
カラー原稿を読み取る読取部と、
前記読取部で読み取られたカラー原稿のカラー画像データを圧縮し、圧縮された形式のカラー送信データを作成する作成部と、
前記作成部で作成されたカラー送信データを記憶する送信データ記憶部と、
前記送信データ記憶部へのカラー送信データの記憶を制御する記憶制御部と、
ファクシミリ送信のための通信回線網に接続される通信部と、
前記通信部を介して、前記記憶制御部によって前記送信データ記憶部に記憶されたカラー送信データを、相手先のファクシミリ装置にファクシミリ送信する通信制御部と、
発信元を示す発信元情報を記憶する発信元情報記憶部と、
前記通信部でカラー送信データを送信するタイミングを示す予約時刻を設定する送信予約部と、
現在時刻を計時する計時部と、を有し、
前記作成部は、
前記送信予約部で予約時刻が設定されていない場合、前記発信元情報と、前記計時部で現在計時されている現在時刻に応じた現在時刻情報と、が付加されたカラー画像データを圧縮した第一種のカラー送信データを作成し、
前記送信予約部で予約時刻が設定されている場合、前記発信元情報が付加され、前記現在時刻情報が付加されていない、カラー画像データを圧縮した第二種のカラー送信データを作成し、
前記通信制御部は、
前記送信予約部で予約時刻が設定されていない場合、前記作成部で作成された第一種のカラー送信データが、前記記憶制御部によって前記送信データ記憶部に記憶された第一のタイミングで、前記送信データ記憶部に記憶された第一種のカラー送信データを、前記通信部からファクシミリ送信し、
前記送信予約部で予約時刻が設定されている場合、前記計時部で現在計時されている時刻が予約時刻となった第二のタイミングで、前記記憶制御部によって前記送信データ記憶部に記憶された第二種のカラー送信データを、前記通信部からファクシミリ送信する、ファクシミリ装置。
【請求項２】
前記作成部は、前記送信予約部で予約時刻が設定されている場合、前記発信元情報と、前記送信予約部で設定された予約時刻に応じた予約時刻情報と、が付加されたカラー画像データを圧縮した第二種のカラー送信データを作成する、請求項１に記載のファクシミリ装置。
【請求項３】
前記作成部は、前記送信予約部で予約時刻が設定されている場合、前記発信元情報を含み、前記現在時刻情報と、前記送信予約部で設定された予約時刻に応じた予約時刻情報と、の何れも付加されていない、第二種のカラー送信データを作成する、請求項１に記載のファクシミリ装置。
【請求項４】
第一のタイミングにおいて、相手先のファクシミリ装置との間でファクシミリ送信のための接続が確立されない場合に、同一の相手先のファクシミリ装置に、前記送信データ記憶部に記憶された第一種のカラー送信データを再送信するタイミングであって、第一のタイミングから所定時間経過した第三のタイミングを設定し、第二のタイミングにおいて、相手先のファクシミリ装置との間でファクシミリ送信のための接続が確立されない場合に、同一の相手先のファクシミリ装置に、前記送信データ記憶部に記憶された第二種のカラー送信データを再送信するタイミングであって、第二のタイミングから所定時間経過した第四のタイミングを設定する再送信設定部を有し、
前記作成部は、
前記送信予約部で予約時刻が設定されていない場合、前記発信元情報と、前記現在時刻情報と、が付加されたカラー画像データを圧縮した第一の第一種のカラー送信データと、前記発信元情報と、第三のタイミングに応じたリダイヤル時刻情報と、が付加されたカラー画像データを圧縮した第二の第一種のカラー送信データと、を作成し、
前記送信予約部で予約時刻が設定されている場合、前記発信元情報と、前記予約時刻情報と、が付加されたカラー画像データを圧縮した第一の第二種のカラー送信データと、前記発信元情報と、第四のタイミングに応じたリダイヤル時刻情報と、が付加されたカラー画像データを圧縮した第二の第二種のカラー送信データと、を作成し、
前記通信制御部は、
前記送信予約部で予約時刻が設定されていない場合、前記送信データ記憶部に記憶された第一の第一種のカラー送信データ及び第二の第一種のカラー送信データのうち、第一のタイミングにおいては第一の第一種のカラー送信データを、前記通信部からファクシミリ送信し、第三のタイミングにおいては第二の第一種のカラー送信データを、前記通信部からファクシミリ送信し、
前記送信予約部で予約時刻が設定されている場合、前記送信データ記憶部に記憶された第一の第二種のカラー送信データ及び第二の第二種のカラー送信データのうち、第二のタイミングにおいては第一の第二種のカラー送信データを、前記通信部からファクシミリ送信し、第四のタイミングにおいては第二の第二種のカラー送信データを、前記通信部からファクシミリ送信する、請求項１に記載のファクシミリ装置。
【発明の詳細な説明】
【技術分野】
【０００１】
本発明は、カラー原稿のファクシミリ送信に対応したファクシミリ装置に関する。
【背景技術】
【０００２】
従来から、ファクシミリ装置に関する技術が提案されている（例えば、特許文献１、特許文献２、特許文献３参照）。特許文献１の通信装置は、画像メモリに蓄積した転送依頼文書を配信する際には、発信元情報を付加するために必要なデータをシステムメモリから読み出して、文書の先頭に付加する。発信元情報は所定のコードによって表わされているので、文書と同様の画情報に変換した後、転送依頼文書の線密度等に合わせて符号化復号化部によって符号化される。通信装置は、これを転送文書の先頭に付加し（転送の）メモリ送信を行う。
【０００３】
特許文献２のファクシミリ装置は、カラーファクシミリ送信が選択され、この情報を一旦、メモリに格納し、所定時間経過した後に目的の宛先に発呼することができる。このファクシミリ装置では、実際のファクシミリ通信時に、通信時の日時情報を含む発信元情報と原稿情報とを接続して送信する場合、原稿サイズ、解像度、サブサンプリングに応じて、リスタートマーカのインターバルが適切に決定される。このファクシミリ装置によれば、カラー情報の再符号化を必要とせず、したがって、カラー情報再符号化時間用の時間を長く見込む必要がなく、リアルタイムで通信することができる。
【０００４】
特許文献３の通信装置は、画像データをＪＰＥＧにより符号化する際、所定サイズのブロックを単位として符号化条件を初期化しながら圧縮（分割圧縮）し、各ブロック間にリスタートマーカーを挿入して送信画像ファイルを形成する。発信元情報も上述のブロックのサイズと同等のサイズに圧縮されて、圧縮画像データと共に送信される。この通信装置によれば、発信元情報の付加形態や付加位置を容易に変更でき、さらに、その他のメッセージの添付や画像合成等の処理の自由度が向上する。この他にも、データ処理方法および装置が提案されている（例えば、特許文献４参照）。
【先行技術文献】
【特許文献】
【０００５】
【特許文献１】特開平５−２７６２９４号公報
【特許文献２】特開２００２−２７１６３６号公報
【特許文献３】特開平１１−３１３２１０号公報
【特許文献４】特開平６−１８７２５８号公報
【発明の概要】
【発明が解決しようとする課題】
【０００６】
ところで、相手先へのファクシミリ送信において、受信された送信データに基づき印刷された記録用紙に、発信元と共に、ファクシミリ送信がなされた時刻が示されていると、受信者は、その時刻を知ることができる。このことは、カラー原稿が読み取れ、これに基づいたカラー送信データが記憶部に記憶された後、直ちに開始されず、ユーザによって予約された予約時刻にファクシミリ送信が行われるような場合においても、同じである。
【０００７】
また、カラー原稿に対応したファクシミリ送信での送信対象であるカラー送信データは、ＪＰＥＧデータである。カラー送信データがＪＰＥＧデータであって、これに含まれる送信時刻を示す情報を変更する場合、復号化が必要となり、モノクロ原稿に基づいたモノクロ送信データ（圧縮方式として、ＭＨが例示される。）のように、好適に行うことは困難である。上述したようなリスタートマーカーを採用し、ＪＰＥＧデータを所定の単位に区切れば、一部を置き換えることは可能である。しかし、リスタートマーカーに対応していないファクシミリ装置が存在するかもしれず、好適ではない。また、特に、次世代ネットワーク（ＮＧＮ（Next Generation Network））網を介したファクシミリ送信によれば、高速通信が可能となるが、このようなカラー送信データの復号化と、発信元情報の付加後の再圧縮（再符号化）の各処理は、高速通信の妨げとなる。なお、相手先のファクシミリ装置へのファクシミリ送信は、カラー送信データ等の送信データを、所定の記憶領域に記憶し、その後、送信を開始する、所謂、メモリ送信という手法によって行われる場合がある。メモリ送信によれば、相手先のファクシミリ装置との通信時間を短縮することができる。
【０００８】
本発明は、カラー原稿に基づいたカラー送信データをメモリ送信によってファクシミリ送信する場合に、ファクシミリ送信が行われる時刻を、カラー送信データに好適に付与することが可能なファクシミリ装置を提供することを目的とする。
【課題を解決するための手段】
【０００９】
上記従来の課題に鑑みなされた本発明の一側面は、カラー原稿のファクシミリ送信に対応したファクシミリ装置であって、カラー原稿を読み取る読取部と、前記読取部で読み取られたカラー原稿のカラー画像データを圧縮し、圧縮された形式のカラー送信データを作成する作成部と、前記作成部で作成されたカラー送信データを記憶する送信データ記憶部と、前記送信データ記憶部へのカラー送信データの記憶を制御する記憶制御部と、ファクシミリ送信のための通信回線網に接続される通信部と、前記通信部を介して、前記記憶制御部によって前記送信データ記憶部に記憶されたカラー送信データを、相手先のファクシミリ装置にファクシミリ送信する通信制御部と、発信元を示す発信元情報を記憶する発信元情報記憶部と、前記通信部でカラー送信データを送信するタイミングを示す予約時刻を設定する送信予約部と、現在時刻を計時する計時部と、を有し、前記作成部は、前記送信予約部で予約時刻が設定されていない場合、前記発信元情報と、前記計時部で現在計時されている現在時刻に応じた現在時刻情報と、が付加されたカラー画像データを圧縮した第一種のカラー送信データを作成し、前記送信予約部で予約時刻が設定されている場合、前記発信元情報が付加され、前記現在時刻情報が付加されていない、カラー画像データを圧縮した第二種のカラー送信データを作成し、前記通信制御部は、前記送信予約部で予約時刻が設定されていない場合、前記作成部で作成された第一種のカラー送信データが、前記記憶制御部によって前記送信データ記憶部に記憶された第一のタイミングで、前記送信データ記憶部に記憶された第一種のカラー送信データを、前記通信部からファクシミリ送信し、前記送信予約部で予約時刻が設定されている場合、前記計時部で現在計時されている時刻が予約時刻となった第二のタイミングで、前記記憶制御部によって前記送信データ記憶部に記憶された第二種のカラー送信データを、前記通信部からファクシミリ送信する、ファクシミリ装置である。
【００１０】
これによれば、カラー送信データが、予約時刻にファクシミリ送信されない場合と、予約時刻にファクシミリ送信される場合とで、カラー画像データに発信元情報と共に付加される時刻情報を変更させることができる。特に、予約時刻にファクシミリ送信される場合に、予約時刻にファクシミリ送信されない場合に付加される現在時刻情報と同一の時刻情報が付加されたカラー画像データを圧縮した第一種のカラー送信データが作成され、ファクシミリ送信されることを防止することができる。ここで、予約時刻が設定されていない場合における現在時刻情報の現在時刻は、ファクシミリ送信が行われる時刻と同一である（同一であるとみなせる）。また、予約時刻となった第二のタイミングは、計時部で現在計時されている現在時刻が、予約時刻となったタイミングの他、予約時刻を経過したタイミングを含む。
【００１１】
このファクシミリ装置は、次のような構成とすることもできる。前記作成部は、前記送信予約部で予約時刻が設定されている場合、前記発信元情報と、前記送信予約部で設定された予約時刻に応じた予約時刻情報と、が付加されたカラー画像データを圧縮した第二種のカラー送信データを作成する、ようにしてもよい。
【００１２】
これによれば、カラー送信データが、予約時刻にファクシミリ送信される場合、予約時刻に応じた予約時刻情報が付加されたカラー画像データを圧縮したカラー送信データを、相手先のファクシミリ装置にファクシミリ送信することができる。この場合、受信者は、ファクシミリ送信がなされた適切な時刻を知ることができる。なお、例えば、カラー原稿が読み取られたタイミングで、予約時刻情報が付加されていないカラー画像データを圧縮したカラー送信データを作成し、上述の第二のタイミングで、このカラー送信データに、予約時刻情報を付加するような構成では、第二のタイミングで、既に作成されたカラー送信データを復号化し、予約時刻情報を付加し、再度、圧縮しなければならない。上述した構成によれば、このような復号化及び再圧縮等が必要なく、高速通信に対応することもできる。
【００１３】
また、前記作成部は、前記送信予約部で予約時刻が設定されている場合、前記発信元情報を含み、前記現在時刻情報と、前記送信予約部で設定された予約時刻に応じた予約時刻情報と、の何れも付加されていない、第二種のカラー送信データを作成する、ようにしてもよい。
【００１４】
これによれば、カラー送信データが、予約時刻にファクシミリ送信される場合、時刻情報が付加されていないカラー画像データを圧縮したカラー送信データを、相手先のファクシミリ装置にファクシミリ送信することができる。この場合、受信者が、ファクシミリ送信の時刻に関し、誤った認識をすることを防止することができる。
【００１５】
また、第一のタイミングにおいて、相手先のファクシミリ装置との間でファクシミリ送信のための接続が確立されない場合に、同一の相手先のファクシミリ装置に、前記送信データ記憶部に記憶された第一種のカラー送信データを再送信するタイミングであって、第一のタイミングから所定時間経過した第三のタイミングを設定し、第二のタイミングにおいて、相手先のファクシミリ装置との間でファクシミリ送信のための接続が確立されない場合に、同一の相手先のファクシミリ装置に、前記送信データ記憶部に記憶された第二種のカラー送信データを再送信するタイミングであって、第二のタイミングから所定時間経過した第四のタイミングを設定する再送信設定部を有し、前記作成部は、前記送信予約部で予約時刻が設定されていない場合、前記発信元情報と、前記現在時刻情報と、が付加されたカラー画像データを圧縮した第一の第一種のカラー送信データと、前記発信元情報と、第三のタイミングに応じたリダイヤル時刻情報と、が付加されたカラー画像データを圧縮した第二の第一種のカラー送信データと、を作成し、前記送信予約部で予約時刻が設定されている場合、前記発信元情報と、前記予約時刻情報と、が付加されたカラー画像データを圧縮した第一の第二種のカラー送信データと、前記発信元情報と、第四のタイミングに応じたリダイヤル時刻情報と、が付加されたカラー画像データを圧縮した第二の第二種のカラー送信データと、を作成し、前記通信制御部は、前記送信予約部で予約時刻が設定されていない場合、前記送信データ記憶部に記憶された第一の第一種のカラー送信データ及び第二の第一種のカラー送信データのうち、第一のタイミングにおいては第一の第一種のカラー送信データを、前記通信部からファクシミリ送信し、第三のタイミングにおいては第二の第一種のカラー送信データを、前記通信部からファクシミリ送信し、前記送信予約部で予約時刻が設定されている場合、前記送信データ記憶部に記憶された第一の第二種のカラー送信データ及び第二の第二種のカラー送信データのうち、第二のタイミングにおいては第一の第二種のカラー送信データを、前記通信部からファクシミリ送信し、第四のタイミングにおいては第二の第二種のカラー送信データを、前記通信部からファクシミリ送信する、ようにしてもよい。
【００１６】
これによれば、相手先のファクシミリ装置との間で接続が確立されず、その結果、ファクシミリ送信に移行できず、再度、ファクシミリ送信が実行されるような場合においても、発信元情報と、再送信される第三のタイミング又は第四のタイミングに応じたリダイヤル時刻情報とが付加されたカラー画像データを圧縮した第二の第一種のカラー送信データ又は第二の第二種のカラー送信データを、相手先のファクシミリ装置にファクシミリ送信することができる。この場合、受信者は、再送信に基づくファクシミリ送信がなされた適切な時刻を知ることができる。この場合も、上述した場合と同様、再送信されるタイミングで、復号化及び再圧縮等が必要なく、高速通信に対応することもできる。
【発明の効果】
【００１７】
本発明によれば、カラー原稿に基づいたカラー送信データをメモリ送信によってファクシミリ送信する場合に、ファクシミリ送信が行われる時刻を、カラー送信データに好適に付与することが可能なファクシミリ装置を得ることができる。
【図面の簡単な説明】
【００１８】
【図１】ファクシミリ装置のハードウェア構成の一例を示すブロック図である。
【図２】第一実施例の送信データ作成処理のフローチャートである。
【図３】第一実施例及び第二実施例の送信処理のフローチャートである。
【図４】第二実施例の送信データ作成処理のフローチャートである。
【図５】第三実施例の送信データ作成処理のフローチャートである。
【図６】第三実施例の送信処理のフローチャートである。
【発明を実施するための形態】
【００１９】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。また、他の構成を含むようにしてもよい。
【００２０】
＜ファクシミリ装置＞
ファクシミリ装置（以下、「ＦＡＸ装置」という。）１０について、図１を参照して説明する。ＦＡＸ装置１０は、ファクシミリ通信（以下、「ＦＡＸ通信」という。）を行うための通信回線網に接続される。ＦＡＸ装置１０は、この通信回線網に接続されＦＡＸ装置（以下、「相手先装置」という。）８０との間で、ＦＡＸ通信を行う。例えば、ＦＡＸ装置１０から、相手先装置８０に対してカラー原稿のカラー画像データを圧縮したカラー送信データがファクシミリ送信（以下、「ＦＡＸ送信」という。）される。ＦＡＸ装置１０は、ＦＡＸ送信を、原稿の読み取り後、直ちに行わず、ユーザによって予約された予約時刻に行う、所謂、タイマ送信を行うことができる。カラー送信データは、ＪＰＥＧデータである。
【００２１】
以下では、カラー送信データのＦＡＸ送信を、カラー送信ともいう。予約時刻になされるＦＡＸ送信を、タイマ送信という。また、通信回線網として、公衆電話交換回線網（ＰＳＴＮ（Public Switched Telephone Networks）。以下、「ＰＳＴＮ」という。）９０を例に説明する。なお、通信回線網としては、ＰＳＴＮ９０の他、高速通信が可能なＮＧＮ網等が例示される。
【００２２】
ＦＡＸ装置１０は、図１に示すように、ＣＰＵ１２と、プログラムＲＯＭ１４と、ＲＡＭ１６と、フラッシュＲＯＭ１８と、読取部２０と、印刷部２２と、表示部２４と、操作部２６と、計時部２８と、ＰＳＴＮインターフェース（ＰＳＴＮ Ｉ／Ｆ）３０とを有する。これら各部１２〜３０は、バスライン３２に接続されている。なお、相手先装置８０は、通常のＦＡＸ装置であってもよいが、ＦＡＸ装置１０と同一の装置であってもよい。
【００２３】
ＣＰＵ１２は、演算処理を実行する。プログラムＲＯＭ１４は、例えば、後述するような各種の処理のためのコンピュータプログラムを記憶する。ＲＡＭ１６は、ＣＰＵ１２が各種のコンピュータプログラムを実行する際に利用される記憶領域となる。ＣＰＵ１２は、例えば、プログラムＲＯＭ１４に記憶された各種のコンピュータプログラムを実行する等して、ＦＡＸ装置１０を制御する。これによって、ＦＡＸ装置１０では、各種の処理及び機能が実現される。
【００２４】
フラッシュＲＯＭ１８は、各種のデータを記憶することができる。例えば、発信元を示す発信元情報を記憶する。発信元情報としては、ＦＡＸ装置１０のＦＡＸ番号（ダイヤル番号）及び／又は発信元の名称等が例示される。読取部２０は、ＣＩＳ（Contact Image Sensor）又はＣＣＤ（Charge Coupled Devices）等のスキャン機構を有する。読取部２０は、ＦＡＸ装置１０にセットされた原稿を読み取り（スキャンし）、読み取った原稿の画像データを作成する。例えば、ＦＡＸ装置１０にセットされた原稿がカラー原稿であって、カラーによる読み取りが、ユーザによって指示された場合、読取部２０は、読み取ったカラー原稿のカラー画像データを作成する。カラー画像データは、圧縮（符号化）されてカラー送信データとされる。具体的に、カラー画像データは、ＪＰＥＧコーデックによってＪＰＥＧデータとされる。この点に関する説明は、後述する。
【００２５】
印刷部２２は、インクジェット方式又はレーザ方式等の印刷機構を有する。印刷部２２は、相手先装置８０からの送信データが受信された場合、受信された送信データによって表される画像を、記録用紙に印刷する。ＦＡＸ装置１０で、カラー送信データが受信された場合、印刷部２２は、このカラー送信データによって表されるカラー画像を、記録用紙に印刷する。一方、モノクロ原稿のモノクロ画像データを圧縮したモノクロ送信データが受信された場合、印刷部２２は、このモノクロ送信データによって表されるモノクロ画像を、記録用紙に印刷する。また、印刷部２２は、後述する送信エラーレポートを印刷する。
【００２６】
表示部２４は、諸情報を表示するためのディスプレイである。操作部２６は、複数のキーによって構成される。ユーザは、操作部２６を操作することによって、各種の指令をＦＡＸ装置１０に入力することができる。例えば、相手先装置８０のＦＡＸ番号を入力することができる。また、カラー送信を指定することができる。この他、タイマ送信のための予約時刻を入力することができる。計時部２８は、時計機能を有し、時間（時刻）を計測する。ＰＳＴＮ Ｉ／Ｆ３０は、ＰＳＴＮ９０に接続され、ＦＡＸ装置１０を、ＰＳＴＮ９０に接続する。なお、通信回線網としてＮＧＮ網が利用される場合、ＦＡＸ装置１０は、ＮＧＮ網に接続されるネットワークＩ／Ｆを有する。ネットワークＩ／Ｆは、ＦＡＸ装置１０を、ＮＧＮ網に接続する。
【００２７】
＜ＦＡＸ装置で実行される処理＞
ＦＡＸ装置１０で実行される、送信データ作成処理及び送信処理について、３つの実施例を説明する。以下の各処理は、ＦＡＸ装置１０から、相手先装置８０に対して、カラー送信する際に実行される。また、カラー送信は、メモリ送信によって行われる。メモリ送信とは、事前に相手先装置８０に送信する送信データ（カラー送信データ又はモノクロ送信データ）を作成し、これをＲＡＭ１６又はフラッシュＲＯＭ１８に記憶し、その後、相手先装置８０に発呼し、ＲＡＭ１６又はフラッシュＲＯＭ１８に記憶された送信データを、順次、相手先装置８０に送信する方法である。
【００２８】
各実施例において、ユーザは、ＦＡＸ装置１０に送信対象のカラー原稿をセットし、操作部２６を操作し、相手先装置８０のＦＡＸ番号を入力する。タイマ送信とする場合、ユーザは、操作部２６を操作し、予約時刻を入力する。なお、ＣＰＵ１２は、入力された予約時刻を、タイマ送信の予約時刻として設定する。その後、ユーザは、カラー送信の実行のための指令を、再度、操作部２６を操作し、入力する。この指令の入力が検出された場合、ＣＰＵ１２は、送信データ作成処理を開始する。送信処理は、送信データ作成処理が終了した後、所定のタイミングで開始される。
【００２９】
＜第一実施例＞
第一実施例の送信データ作成処理について、図２を参照して説明する。また、第一実施例の送信処理について、図３を参照して説明する。
【００３０】
＜送信データ作成処理＞
図２に示す第一実施例の送信データ作成処理を開始したＣＰＵ１２は、読取部２０を制御し、ＦＡＸ装置１０にセットされたカラー原稿の読み取りを行う（Ｓ１００）。読取部２０は、ＦＡＸ装置１０にセットされたカラー原稿を読み取り、読み取ったカラー原稿のカラー画像データを作成する。ＣＰＵ１２は、作成されたカラー画像データを、例えばＲＡＭ１６上の所定の記憶領域に記憶する。
【００３１】
次に、ＣＰＵ１２は、今回のカラー送信がタイマ送信であるかについて判断する（Ｓ１０２）。ＣＰＵ１２は、送信データ作成処理の開始に際し、タイマ送信のための予約時刻が入力され、これに伴い、予約時刻が設定されているか否かに従い、Ｓ１０２の判断を行う。予約時刻が設定されておらず、今回のカラー送信がタイマ送信でないと判断される場合（Ｓ１０２：Ｎｏ）、ＣＰＵ１２は、Ｓ１００で作成され、ＲＡＭ１６上に記憶されたカラー画像データの先頭に、ヘッダを付加する（Ｓ１０４）。Ｓ１０４で付加されるヘッダは、計時部２８によって現在計時されている現在時刻に応じた現在時刻情報と、フラッシュＲＯＭ１８に記憶された送信元情報とを含む。続けて、ＣＰＵ１２は、この現在時刻を送信時刻に設定する（Ｓ１０６）。
【００３２】
説明をＳ１０２に戻し、予約時刻が設定され、今回のカラー送信がタイマ送信であると判断される場合（Ｓ１０２：Ｙｅｓ）、ＣＰＵ１２は、Ｓ１００で作成され、ＲＡＭ１６上に記憶されたカラー画像データの先頭に、ヘッダを付加する（Ｓ１０８）。Ｓ１０８で付加されるヘッダは、送信データ作成処理の開始に際し、設定された予約時刻に応じた予約時刻情報と、フラッシュＲＯＭ１８に記憶された送信元情報とを含む。続けて、ＣＰＵ１２は、予約時刻を送信時刻に設定する（Ｓ１１０）。
【００３３】
Ｓ１０６又はＳ１１０を実行した後、ＣＰＵ１２は、Ｓ１０４又はＳ１０８でヘッダを付加したカラー画像データを圧縮（符号化）し、圧縮（符号化）されたカラー送信データを作成する（Ｓ１１２）。具体的に、ＣＰＵ１２は、ＪＰＥＧコーデックを実行し、Ｓ１０４又はＳ１０８でヘッダを付加したカラー画像データから、ＪＰＥＧデータを作成する。その後、ＣＰＵ１２は、Ｓ１１２で作成したカラー送信データを、ＲＡＭ１６上の所定の記憶領域に記憶する（Ｓ１１４）。なお、タイマ送信である場合（Ｓ１０２：Ｙｅｓ参照）、ＣＰＵ１２は、作成したカラー送信データを、フラッシュＲＯＭ１８に記憶させ、ＲＡＭ１６上の所定の記憶領域が開放されるようにしてもよい。Ｓ１１４を実行した後、ＣＰＵ１２は、送信データ作成処理を終了する。
【００３４】
＜送信処理＞
図３に示す送信処理を開始したＣＰＵ１２は、計時部２８によって現在計時されている現在時刻と、図２のＳ１０６又はＳ１１０で設定された送信時刻とを比較し、現在時刻が送信時刻以降の時刻であるかについて判断する（Ｓ２００）。計時部２８によって現在計時されている現在時刻（Ｓ２００を実行している時点の時刻）が、送信時刻前である場合（Ｓ２００：Ｎｏ）、ＣＰＵ１２は、送信時刻となるまで待機する。Ｓ１１０において、予約時刻が送信時刻として設定されているとき、このような判断がなされる場合がある。一方、Ｓ１０６で、現在時刻が送信時刻と設定されている場合、計時部２８によって現在計時されている現在時刻は、送信時刻以降の時刻となるため、Ｓ２００の判断が否定されることはない。即ち、Ｓ１０６で現在時刻が送信時刻と設定されている場合、図２に示す送信データ作成処理が終了した後、直ちに、次に説明するＳ２０２が実行される。
【００３５】
計時部２８によって現在計時されている現在時刻が、送信時刻以降の時刻（送信時刻を経過した時刻）である場合（Ｓ２００：Ｙｅｓ）、ＣＰＵ１２は、処理をＳ２０２に移行する。上述したように図２のＳ１０６が実行されていた場合の他、時間が経過し、Ｓ２００を実行している時点において、計時部２８によって現在計時されている現在時刻が、Ｓ１１０で設定された送信時刻となった場合に、Ｓ２００の判断は肯定される（Ｓ２００：Ｙｅｓ）。Ｓ２０２でＣＰＵ１２は、ＰＳＴＮ Ｉ／Ｆ３０を制御し、ＲＡＭ１６上の所定の記憶領域に記憶されたカラー送信データをＦＡＸ送信（カラー送信）する。送信されるカラー送信データに関し、図２のＳ１０２が否定され（Ｓ１０２：Ｎｏ）、Ｓ１０４が実行されていた場合、現在時刻情報及び発信元情報を含むヘッダが付加されたカラー画像データを圧縮（符号化）したカラー送信データがＦＡＸ送信される。一方、図２のＳ１０２が肯定され（Ｓ１０２：Ｙｅｓ）、Ｓ１０８が実行されていた場合、予約時刻情報及び発信元情報を含むヘッダが付加されたカラー画像データを圧縮（符号化）したカラー送信データがＦＡＸ送信される。
【００３６】
ＣＰＵ１２は、カラー送信データの全てをＦＡＸ送信した後、送信処理を終了する。なお、タイマ送信である場合（図２のＳ１０２：Ｙｅｓ参照）等において、カラー送信データが、フラッシュＲＯＭ１８に記憶されるような構成が採用されていれば、Ｓ２０２の実行に際し、ＣＰＵ１２は、送信対象のカラー送信データを、フラッシュＲＯＭ１８から読み出し、ＲＡＭ１６上の所定の記憶領域に記憶する。
【００３７】
＜有利な効果＞
以上説明した第一実施例によれば、タイマ送信が行われない場合（図２のＳ１０２：Ｎｏ参照）、現在時刻に応じた現在時刻情報と、発信元情報とを含むヘッダが付加されたカラー画像データを圧縮したカラー送信データを作成、記憶し（図２のＳ１１２，Ｓ１１４参照）、相手先装置８０にカラー送信することができる（図３のＳ２０２参照）。一方、タイマ送信が行われる場合（図２のＳ１０２：Ｙｅｓ参照）、予約時刻に応じた予約時刻情報と、発信元情報とを含むヘッダが付加されたカラー画像データを圧縮したカラー送信データを作成、記憶し（図２のＳ１１２，Ｓ１１４参照）、相手先装置８０にカラー送信することができる（図３のＳ２０２参照）。従って、ＦＡＸ装置１０からのカラー送信データを受信した相手先装置８０のユーザは、ＦＡＸ装置１０からのカラー送信の送信時刻に関し、適切な時刻を認識することができる。
【００３８】
なお、タイマ送信が行われる場合において（図２のＳ１０２：Ｙｅｓ参照）、例えば、カラー原稿が読み取られたタイミングで（図２のＳ１００参照）、予約時刻情報が付加されていないヘッダが付加された、又は、予約時刻情報及び発信元情報を含むヘッダが付加されていないカラー画像データを圧縮したカラー送信データを作成し、カラー送信データが送信されるタイミングで（図３のＳ２００：Ｙｅｓ，Ｓ２０２参照）、このカラー送信データに、予約時刻情報を含むヘッダ等を付加するような構成では、このタイミングで、既に作成されたカラー送信データを復号化し、予約時刻情報を付加し、再度、圧縮しなければならない。上述した第一実施例によれば、このような復号化及び再圧縮が必要なく、高速通信に対応することもできる。
【００３９】
＜第二実施例＞
第二実施例の送信データ作成処理について、図４を参照して説明する。この説明において、図２に示す第一実施例の送信データ作成処理と共通する処理についての説明は、対応するステップ番号を記載等するのみとして、詳細な説明は省略する。
【００４０】
また、第二実施例の送信処理は、第一実施例の送信処理と同様であるため、説明は省略する。なお、第二実施例において、図３のＳ２００に相当する判断は、次に記載の図４のＳ３０６で設定された現在時刻に基づく送信時刻、又は、図４のＳ３１０で設定された予約時刻に基づく送信時刻を対象として判断される。
【００４１】
＜送信データ作成処理＞
図４に示す第二実施例の送信データ作成処理を開始したＣＰＵ１２は、Ｓ３００〜Ｓ３０６を実行する。ここで、Ｓ３００〜Ｓ３０６は、図２のＳ１００〜Ｓ１０６と同様の処理である。そのため、これに関する説明は、省略する。
【００４２】
送信データ作成処理の開始に際し、タイマ送信のための予約時刻が入力され、予約時刻が設定され、Ｓ３０２において、今回のカラー送信がタイマ送信であると判断される場合（Ｓ３０２：Ｙｅｓ）、ＣＰＵ１２は、Ｓ３００で作成され、ＲＡＭ１６上に記憶されたカラー画像データの先頭に、ヘッダを付加する（Ｓ３０８）。Ｓ３０８で付加されるヘッダは、フラッシュＲＯＭ１８に記憶された送信元情報を含む。換言すれば、このヘッダは、計時部２８によって現在計時されている現在時刻に応じた現在時刻情報と、を含まない。また、このヘッダは、送信データ作成処理の開始に際し、設定された予約時刻に応じた予約時刻情報を含まない。
【００４３】
続けて、ＣＰＵ１２は、Ｓ３１０を実行する。また、Ｓ３０６又はＳ３１０を実行した後、ＣＰＵ１２は、Ｓ３１２及びＳ３１４を、順次実行する。ここで、Ｓ３１０、Ｓ３１２及びＳ３１４は、図２のＳ１１０、Ｓ１１２及びＳ１１４と同様の処理である。そのため、これに関する説明は省略する。Ｓ３１４を実行した後、ＣＰＵ１２は、送信データ作成処理を終了する。
【００４４】
＜有利な効果＞
以上説明した第二実施例によれば、タイマ送信が行われない場合（図４のＳ３０２：Ｎｏ参照）、現在時刻に応じた現在時刻情報と、発信元情報とを含むヘッダが付加されたカラー画像データを圧縮したカラー送信データを作成、記憶し（図４のＳ３１２，Ｓ３１４参照）、相手先装置８０にカラー送信することができる（図３のＳ２０２参照）。一方、タイマ送信が行われる場合（図４のＳ３０２：Ｙｅｓ参照）、現在時刻情報及び予約時刻情報を含まず、発信元情報を含むヘッダが付加されたカラー画像データを圧縮したカラー送信データを作成、記憶し、相手先装置８０にカラー送信することができる。
【００４５】
従って、タイマ送信ではないカラー送信によって、ＦＡＸ装置１０からのカラー送信データを受信した相手先装置８０のユーザは、ＦＡＸ装置１０からのカラー送信の送信時刻に関し、適切な時刻を認識することができる。一方、タイマ送信であるカラー送信によって、ＦＡＸ装置１０からのカラー送信データを受信した相手先装置８０のユーザが、ＦＡＸ装置１０からのカラー送信の送信時刻に関し、誤った認識をすることを防止することができる。なお、送信時刻に関する情報を認識できなくとも、発信元情報が含まれているため、ＦＡＸ装置１０のユーザを適切に認識することができる。
【００４６】
＜第三実施例＞
第三実施例の送信データ作成処理について、図５を参照して説明する。この説明において、図２に示す第一実施例の送信データ処理と共通する処理についての説明は、対応するステップ番号を記載等するのみとして、詳細な説明は省略する。また、第三実施例の送信処理について、図６を参照して説明する。
【００４７】
＜送信データ作成処理＞
図５に示す第三実施例の送信データ作成処理を開始したＣＰＵ１２は、Ｓ４００〜Ｓ４０４を実行する。ここで、Ｓ４００〜Ｓ４０４は、図２のＳ１００〜Ｓ１０４と同様の処理である。そのため、これに関する説明は、省略する。以下の第三実施例の説明において、Ｓ４０４で、現在時刻情報及び発信元情報を含むヘッダが付加されたカラー画像データを、カラー画像データ（Ａ）という。続けて、ＣＰＵ１２は、再度、Ｓ４００で作成され、ＲＡＭ１６上に記憶されたカラー画像データの先頭に、ヘッダを付加する（Ｓ４０６）。Ｓ４０６で付加されるヘッダは、Ｓ４０４の対象となった現在時刻から一定時間後の時刻（リダイヤル時刻）に応じたリダイヤル時刻情報を含む。リダイヤル時刻のための一定時間は、例えば、５分後とされている。また、ヘッダは、Ｓ４０４と同様、フラッシュＲＯＭ１８に記憶された発信元情報とを含む。以下の第三実施例の説明において、Ｓ４０６でヘッダが付加されたカラー画像データを、カラー画像データ（Ｂ）という。
【００４８】
Ｓ４０４及びＳ４０６では、Ｓ４００で読取部２０で読み取られ、作成され、且つＲＡＭ１６上に記憶された１つのカラー画像データが複製等され、複数のカラー画像データのうちの１つがＳ４０４の対象とされ、他の１つがＳ４０６の対象とされる。続けて、ＣＰＵ１２は、Ｓ４０４の対象となった現在時刻を送信時刻に設定する（Ｓ４０８）。
【００４９】
説明をＳ４０２に戻し、予約時刻が設定され、今回のカラー送信がタイマ送信であると判断される場合（Ｓ４０２：Ｙｅｓ）、ＣＰＵ１２は、Ｓ４１０を実行する。ここで、Ｓ４１０は、図２のＳ１０８と同様の処理である。そのため、これに関する説明は、省略する。以下の第三実施例の説明において、Ｓ４０６で、予約時刻情報及び発信元情報を含むヘッダが付加されたカラー画像データを、カラー画像データ（Ｃ）という。続けて、ＣＰＵ１２は、再度、Ｓ４００で作成され、ＲＡＭ１６上に記憶されたカラー画像データの先頭に、ヘッダを付加する（Ｓ４１２）。Ｓ４１２で付加されるヘッダは、Ｓ４１０の対象となった予約時刻から一定時間後（例えば、５分後）の時刻（リダイヤル時刻）に応じたリダイヤル時刻情報を含む。また、ヘッダは、Ｓ４１０と同様、フラッシュＲＯＭ１８に記憶された発信元情報とを含む。以下の第三実施例の説明において、Ｓ４０６でヘッダが付加されたカラー画像データを、カラー画像データ（Ｄ）という。
【００５０】
Ｓ４１０及びＳ４１２では、Ｓ４００で読取部２０で読み取られ、作成され、且つＲＡＭ１６上に記憶された１つのカラー画像データが複製等され、複数のカラー画像データのうちの１つがＳ４１０の対象とされ、他の１つがＳ４１２の対象とされる。続けて、ＣＰＵ１２は、Ｓ４１０の対象となった予約時刻を送信時刻に設定する（Ｓ４１４）。
【００５１】
Ｓ４０８又はＳ４１４を実行した後、ＣＰＵ１２は、ヘッダが付加されたカラー画像データを圧縮（符号化）し、圧縮（符号化）されたカラー送信データを作成する。具体的に、Ｓ４０４及びＳ４０６が実行されていた場合、ＣＰＵ１２は、ＪＰＥＧコーデックを実行し、カラー画像データ（Ａ）からカラー送信データ（Ａ）を作成し、カラー画像データ（Ｂ）からカラー送信データ（Ｂ）を作成する。一方、Ｓ４１０及びＳ４１２が実行されていた場合、ＣＰＵ１２は、ＪＰＥＧコーデックを実行し、カラー画像データ（Ｃ）からカラー送信データ（Ｃ）を作成し、カラー画像データ（Ｄ）からカラー送信データ（Ｄ）を作成する。
【００５２】
その後、ＣＰＵ１２は、Ｓ４１６で作成したカラー送信データ（Ａ），（Ｂ）又はカラー送信データ（Ｃ），（Ｄ）を、ＲＡＭ１６上の所定の記憶領域に記憶する（Ｓ４１８）。なお、タイマ送信である場合（Ｓ４０２：Ｙｅｓ参照）において、カラー送信データ（Ｃ），（Ｄ）を、フラッシュＲＯＭ１８に記憶させてもよい点は、図２のＳ１１４の場合と同様である。Ｓ４１８を実行した後、ＣＰＵ１２は、送信データ作成処理を終了する。
【００５３】
＜送信処理＞
図６に示す送信処理を開始したＣＰＵ１２は、Ｓ５００を実行する。ここで、Ｓ５００は、図２のＳ２００と同様の処理である。そのため、これに関する説明は、省略する。続けて、ＣＰＵ１２は、ＰＳＴＮ Ｉ／Ｆ３０を制御し、ＲＡＭ１６上の所定の記憶領域に記憶されたカラー送信データ（Ａ）又は（Ｃ）をＦＡＸ送信（カラー送信）する（Ｓ５０２）。Ｓ５０２では、図５のＳ４０２の判断が否定され（Ｓ４０２：Ｎｏ）、Ｓ４０４が実行されていた場合、カラー送信データ（Ａ）がＦＡＸ送信される。一方、図５のＳ４０２の判断が肯定され（Ｓ４０２：Ｙｅｓ）、Ｓ４１０が実行されていた場合、カラー送信データ（Ｃ）がＦＡＸ送信される。なお、今回のカラー送信が、タイマ送信であって（図５のＳ４０２：Ｙｅｓ参照）、カラー送信データ（Ｃ）が、フラッシュＲＯＭ１８に記憶されるような構成が採用されるときの処理については、図３のＳ２０２の場合と同様である。
【００５４】
次に、ＣＰＵ１２は、Ｓ５０２で実行したカラー送信データ（Ａ）又は（Ｃ）のＦＡＸ送信が成功したかについて判断する（Ｓ５０４）。ＲＡＭ１６上の所定の記憶領域に記憶されたカラー送信データ（Ａ）又は（Ｃ）の全てを相手先装置８０にＦＡＸ送信でき、これのＦＡＸ送信に成功した場合（Ｓ５０４：Ｙｅｓ）、図５のＳ４１８で、ＲＡＭ１６上の所定の記憶領域に記憶されたカラー送信データ（Ｂ）又は（Ｄ）を、ＲＡＭ１６上から削除する（Ｓ５０６）。これは、ＦＡＸ送信に成功したため、ＦＡＸ送信に移行できなかったときのための、換言すれば、リダイヤル用のカラー送信データ（Ｂ）又は（Ｄ）が不要となるためである。Ｓ５０６を実行した後、ＣＰＵ１２は、送信処理を終了する。
【００５５】
これに対して、例えば、相手先装置８０が、ＦＡＸ装置１０以外の他のＦＡＸ装置（不図示）とＦＡＸ通信中等であって、相手先装置８０との間で、カラー送信のための接続が確立されず、カラー送信データ（Ａ）又は（Ｃ）のＦＡＸ送信に移行できない場合（Ｓ５０４：Ｎｏ）、ＣＰＵ１２は、Ｓ５０２の対象であって、ＲＡＭ１６上の所定の記憶領域に記憶されたカラー送信データ（Ａ）又は（Ｃ）を、ＲＡＭ１６上から削除する（Ｓ５０８）。その後、ＣＰＵ１２は、一定時間後の時刻をリダイヤル時刻に設定する（Ｓ５１０）。この場合の一定時間後は、図５のＳ４０６及びＳ４１２の場合の一定時間後に一致し、上述した例に基づけば、５分後である。即ち、Ｓ５１０では、図５のＳ４０６又はＳ４１２に関連して上述したリダイヤル時刻が、再度のカラー送信（リダイヤル）のための送信時刻として設定される。
【００５６】
続けて、ＣＰＵ１２は、計時部２８によって現在計時されている現在時刻と、Ｓ５１０で設定されたリダイヤル時刻とを比較し、現在時刻がリダイヤル時刻以降の時刻であるかについて判断する（Ｓ５１２）。計時部２８によって現在計時されている現在時刻（Ｓ５１２を実行している時点の時刻）が、リダイヤル時刻前である場合（Ｓ５１２：Ｎｏ）、ＣＰＵ１２は、リダイヤル時刻となるまで待機する。計時部２８によって現在計時されている現在時刻が、リダイヤル時刻以降の時刻（リダイヤル時刻を経過した時刻）である場合（Ｓ５１２：Ｙｅｓ）、ＣＰＵ１２は、ＰＳＴＮ Ｉ／Ｆ３０を制御し、ＲＡＭ１６上の所定の記憶領域に記憶されたカラー送信データ（Ｂ）又は（Ｄ）をＦＡＸ送信（カラー送信）する（Ｓ５１４）。
【００５７】
Ｓ５１４では、図５のＳ４０２の判断が否定され（Ｓ４０２：Ｎｏ）、Ｓ４０６が実行されていた場合、カラー送信データ（Ｂ）がＦＡＸ送信される。一方、図５のＳ４０２の判断が肯定され（Ｓ４０２：Ｙｅｓ）、Ｓ４１２が実行されていた場合、カラー送信データ（Ｄ）がＦＡＸ送信される。なお、今回のカラー送信が、タイマ送信であって（図５のＳ４０２：Ｙｅｓ参照）、カラー送信データが、フラッシュＲＯＭ１８に記憶されるような構成が採用されるときの処理については、図３のＳ２０２の場合と同様である。
【００５８】
次に、ＣＰＵ１２は、Ｓ５１４で実行したカラー送信データ（Ｂ）又は（Ｄ）のＦＡＸ送信が成功したかについて判断する（Ｓ５１６）。ＦＡＸ送信に移行できない場合（Ｓ５１６：Ｎｏ）、ＣＰＵ１２は、図５のカラー送信データ作成処理の開始に際し、ユーザによって指示された、相手先装置８０へのカラー送信が行えないことを内容とする送信エラーレポートを、出力する。具体的に、ＣＰＵ１２は、送信エラーレポートを印刷部２２で印刷する。なお、ＣＰＵ１２は、送信エラーレポートを表示部２４で表示してもよい。
【００５９】
ＲＡＭ１６上の所定の記憶領域に記憶されたカラー送信データ（Ｂ）又は（Ｄ）の全てを相手先装置８０にＦＡＸ送信でき、ＦＡＸ送信に成功した場合（Ｓ５１６：Ｙｅｓ）、又は、Ｓ５１８を実行した後、ＣＰＵ１２は、図５のＳ４１８で、ＲＡＭ１６上の所定の記憶領域に記憶されたカラー送信データ（Ｂ）又は（Ｄ）を、ＲＡＭ１６上から削除する（Ｓ５２０）。Ｓ５２０を実行した後、ＣＰＵ１２は、送信処理を終了する。
【００６０】
＜有利な効果＞
以上説明した第三実施例によれば、上述した第一実施例の場合と同様の有利な効果を得ることができる。また、リダイヤルの際、例えば、１回目の送信対象であったカラー送信データが送信されるような構成によれば、相手先装置８０のユーザは、カラー送信の送信時刻に関し、適切な時刻を認識することができない。この点に関し、第三実施例によれば、事前のカラー送信データ作成処理（図５参照）で、リダイヤル時刻情報及び発信元情報を含むヘッダが先頭に付加されたカラー画像データ（Ｂ）又は（Ｄ）（図５のＳ４０６，Ｓ４１２参照）から、カラー送信データ（Ｂ）又は（Ｄ）が作成、記憶される（図５のＳ４１６，Ｓ４１８）。１回目に、相手先装置８０へのカラー送信に移行できなかったとしても（図６のＳ５０４：Ｎｏ参照）、その後、復号化及び再圧縮（再符号化）等の処理を行わずに、リダイヤル時刻情報及び発信元情報に基づいたこのカラー送信データ（Ｂ）又は（Ｄ）を、再度、相手先装置８０にＦＡＸ送信することができる。そのため、リダイヤル（図６のＳ５１４参照）によって、ＦＡＸ装置１０からのカラー送信データを受信した相手先装置８０のユーザは、ＦＡＸ装置１０からのカラー送信の送信時刻に関し、適切な時刻を認識することができる。
【００６１】
＜変形例＞
本実施形態は、次のようにすることもできる。このような変形例によっても、上記同様の有利な効果を得ることができる。
【００６２】
（１）上述した第三実施例では、カラー送信データのＦＡＸ送信に移行できない場合のリダイヤル（Ｓ５１４参照）の回数は、１回とした（Ｓ５０８，Ｓ５１４の合計２回のカラー送信が実行）。この他、この回数は、さらに増加させてもよい。具体的に、リダイヤルの回数は、２回以上としてもよい。この場合、図５のＳ４０６が実行された場合、再度、Ｓ４０６に準じた処理が実行され、また、図５のＳ４１２が実行された場合、再度、Ｓ４１２に準じた処理が実行される。なお、リダイヤル時刻情報は、Ｓ４０６又はＳ４１２に準じた処理が実行される都度、将来の時刻が設定される。具体的に、現在時刻（図５のＳ４０４参照）又は予約時刻（図５のＳ４１０参照）、現在時刻又は予約時刻から５分後（図５のＳ４０６又はＳ４１２参照）、現在時刻又は予約時刻から１０分後（図５のＳ４０６又はＳ４１２に準じた処理）というように設定される。そして、図５のＳ４１６及びＳ４１８では、Ｓ４０４及び繰り返されるＳ４０６で作成される複数のカラー画像データ、又は、Ｓ４１０及び繰り返されるＳ４１２で作成される複数のカラー画像データが対象とされ、それぞれ３つ以上のカラー送信データが作成及び記憶される。そして、図６の送信処理では、Ｓ５１６が実行された後、Ｓ４０６又はＳ４１２に準じた処理が繰り返された数に応じて、Ｓ５０６〜Ｓ５１６に準じた処理が繰り返される。
【００６３】
（２）ＦＡＸ装置１０の構成は、図１に示すような構成の他、例えば２つの別体の装置としてもよい。具体的に、ＰＳＴＮ Ｉ／Ｆ３０を、ＦＡＸ装置１０の本体（図１に基づけば、符号１２〜２８が付された各部を有する。以下、「本体装置」という。）から分離させ、単独の装置（以下、「ＰＳＴＮ Ｉ／Ｆ装置」という。）として構成してもよい。この場合、本体装置とＰＳＴＮ Ｉ／Ｆ装置とは、例えば、無線通信する。即ち、本体装置で作成し、記憶されたカラー送信データ（図２のＳ１１２，Ｓ１１４、図３のＳ３１２，Ｓ３１４、図５のＳ４１６，Ｓ４１８参照）は、所定のタイミング（図３のＳ２００：Ｙｅｓ，図６のＳ５００，Ｓ５１２：Ｙｅｓ参照）で、本体から、ＰＳＴＮ Ｉ／Ｆ装置に無線通信される。なお、本体装置とＰＳＴＮ Ｉ／Ｆ装置とは、無線通信のためのインターフェースを有する。無線通信の形態としては、無線ＬＡＮ等が例示される。
【符号の説明】
【００６４】
１０  ファクシミリ装置（ＦＡＸ装置）
１２  ＣＰＵ
１４  プログラムＲＯＭ
１６  ＲＡＭ
１８  フラッシュＲＯＭ
２０  読取部
２２  印刷部
２４  表示部
２６  操作部
２８  計時部
３０  ＰＳＴＮインターフェース（ＰＳＴＮ Ｉ／Ｆ）
８０  ファクシミリ装置（相手先装置）
９０  ＰＳＴＮ
【図１】
2012213006.tif 000003
【図２】
2012213006.tif 000004
【図３】
2012213006.tif 000005
【図４】
2012213006.tif 000006
【図５】
2012213006.tif 000007
【図６】
2012213006.tif 000008